(57)【要約】      （修正有）【課題】装飾部を回転させる機構を有する装身具において、回転させる機構を薄型化すると共に、装飾部を任意の回転位置で確実に係止できる回転機構を提供する。【解決手段】リング部２と、リング部２に回転機構３を介して支持される装飾部４と、を備えた装身具１であって、前記回転機構が前記リング部に両端が固定される多角柱状の支持軸６と、支持軸と直交する方向に配置され支持軸の側面を両側から弾性的に挟持する一対の弾性部材７と、を有し、前記一対の弾性部材は、その両端部を合わせた状態で前記装飾部に固定され、支持軸に対して相対的に回転すると共に支持軸の任意の側面に係止する。【選択図】図１
2020115946.tif 000002
【特許請求の範囲】
【請求項１】
リング部と、リング部に回転機構を介して支持される装飾部と、を備え、
前記回転機構が前記リング部に両端が固定される多角柱状の支持軸と、支持軸と直交する方向に配置され支持軸の側面を両側から弾性的に挟持する一対の弾性部材と、を有し、
前記一対の弾性部材は、その両端部を合わせた状態で前記装飾部に固定され、支持軸に対して相対的に回転すると共に支持軸の任意の側面に係止する装身具。
【請求項２】
前記リング部は、円形リングの一部が開口され、この開口部に前記装飾部が配置される請求項１に記載の装身具。
【請求項３】
前記装飾部は内部が空洞のフレームを備え、この空洞に前記回転機構が収容されている請求項１に記載の装身具。
【請求項４】
前記支持軸は、四角柱状又は八角柱状である請求項１に記載の装身具。
【請求項５】
前記一対の弾性部材は各板バネからなり、中央部が外側に膨らみ、膨らみの内側に支持軸が挿通される空間部を形成する請求項１に記載の装身具。
【請求項６】
前記各板バネは矩形形状をしており、その長辺方向が支持軸の軸方向と直交するように配置される請求項５に記載の装身具。
【発明の詳細な説明】
【技術分野】
【０００１】
本発明は、指輪をペンダントやネックレスなどの用途にも利用できる装身具に関する。
【背景技術】
【０００２】
従来、この種の装身具としては、特許文献１及び特許文献２に開示のものが知られている。特許文献１に開示されている指輪兼ネックレスは、装飾部とリング部とを有する指輪において、リング部に装飾部を回転自在に軸着し、基本的には指輪として、また所望に応じてペンダントして使用できるものである。また、特許文献２に開示されている装飾用接続部材は、装飾品のデザイン部本体を回転させ、任意の面で係止させる機構を設けるもので、部品として、板バネと回転軸棒とを用い、回転軸棒の両側面を一対の板バネで押えることで、回転軸棒が任意の面で係止ができるようにしたものである。
【先行技術文献】
【特許文献】
【０００３】
【特許文献１】実用新案登録第３００１１１７号公報
【特許文献２】実用新案登録第３０９５５４０号公報
【発明の概要】
【発明が解決しようとする課題】
【０００４】
しかしながら、特許文献１に開示されている指輪兼ネックレスにあっては、リング部に装飾部を回転自在に軸着させているため、装飾部の回転を何回も繰り返す間に軸着部分に弛みが生じてしまい、装飾部を所定位置に保持できないといった問題があった。また、特許文献２に開示されている装飾用接続部品あっては、回転軸棒の両側面を湾曲状の板バネで挟み込む構造となっているため、板バネを含む回転機構全体が大きくなってしまう。また、各板バネは回転軸棒の軸方向に沿って配置されているために、板バネの幅を広くすることができず、回転軸棒を任意の面で係止するためのバネ力が十分に得られないおそれがあった。
【０００５】
そこで、本発明が解決しようとする課題は、装飾部を回転させる機構を有する装身具において、回転させる機構を薄型化すると共に、装飾部を任意の回転位置で確実に係止できるようにすることである。
【課題を解決するための手段】
【０００６】
上記課題を解決するために、本発明に係る装身具は、リング部と、リング部に回転機構を介して支持される装飾部と、を備え、前記回転機構が前記リング部に両端が固定される多角柱状の支持軸と、支持軸と直交する方向に配置され支持軸の側面を両側から弾性的に挟持する一対の弾性部材と、を有し、前記一対の弾性部材は、その両端部を合わせた状態で前記装飾部に固定され、支持軸に対して相対的に回転すると共に支持軸の任意の側面に係止するものである。
【発明の効果】
【０００７】
本発明に係る装身具によれば、リング部に両端が固定される多角柱状の支持軸の側面を、装飾部に固定された一対の弾性部材によって両側から弾性的に挟持すると共に、一対の弾性部材の両端部を合わせた状態で前記装飾部に固定しているので、回転機構全体を薄型化することができる。
【０００８】
また、本発明に係る装身具によれば、弾性部材が支持軸と直交する方向に配置されて支持軸の側面を両側から弾性的に挟持するので、弾性部材の幅を広く確保することができ、支持軸の側面に適度のバネ圧を加えることで、弾性部材を支持軸の任意の側面に確実に係止させることができる。
【図面の簡単な説明】
【０００９】
【図１】本発明の一実施形態に係る装身具の分解斜視図である。
【図２】本発明の装身具に用いられる回転機構の斜視図である。
【図３】回転機構の作用を示す説明図であり、（ａ）は第１の係止位置を示し、（ｂ）は回転途中の位置を示し、（ｃ）は第２の係止位置を示す。
【図４】回転機構をリング部及び装飾部に取付けるための手段を示す平面図である。
【図５】リング部に対する装飾部の回転を示す説明図であり、（ａ）は装身具を指輪として利用する場合を示し、（ｂ）は装身具をペンダントとして利用する場合を示す。
【図６】本発明の装身具を指輪として利用した時の斜視図である。
【図７】本発明の装身具をペンダントとして利用した時の斜視図である。
【発明を実施するための形態】
【００１０】
以下、本発明に係る装身具の実施形態を図面に基づいて詳細に説明する。なお、図面は、本発明の装身具を模式的に表したものである。これらの実物の寸法および寸法比は、図面上の寸法および寸法比と必ずしも一致していない。また、重複説明は適宜省略させることがあり、同一部材には同一符号を付与することがある。さらに、本発明の技術的範囲は以下で説明する実施形態には限定されず、特許請求の範囲に記載された発明とその均等物に及ぶ点に留意されたい。
【００１１】
図１には本発明の一実施形態に係る装身具１が示されている。この装身具１は、リング部２と、リング部２に回転機構３を介して支持される装飾部４と、を備えている。前記リング部２には、前記装飾部４が配置される位置とは反対側の位置に一対の円孔２ａが設けられている。この装身具１は、指輪として利用することができると共に、リング部２の円孔２ａにチェーンを挿通することによって、ぺンダントとして利用することもできる。
【００１２】
図１及び図２に示されるように、回転機構３は、前記リング部２に両端が固定される四角柱状の支持軸６と、支持軸６と直交する方向に配置され支持軸６の対向する一方の両側面６ａを弾性的に挟持する一対の弾性部材７と、を有する。本実施形態の支持軸６は正四角形の柱状体からなり、リング部２に固定される両端部に小径の円柱部６ｂを有する。また、前記支持軸６は、例えばステンレスなどの金属材又は硬質プラスチック材によって形成されている。なお、上記支持軸６は、四角柱状に限定されるものではなく、例えば八角柱状であってもよい。角数を増やすことによって、回転時の抵抗が小さくなり、弾性部材７をスムーズに回転させることができる。
【００１３】
本実施形態において、前記一対の弾性部材７は矩形状の板バネからなり、例えばステンレスなどの弾性金属材によって形成されている。一対の弾性部材７は同一形状からなり、両端部に対して中央部が互いに外側に膨らみ７ａを持った形状に形成されている。そして、一対の弾性部材７は両端部がぴったり合わさった状態で、後述するように、装飾部４に固定される。一対の弾性部材７には、両者の膨らみ７ａの内側に支持軸６の両側面６ａの両側から弾性的に挟持する空間部７ｂが形成される。なお、一対の弾性部材７の両端部には板厚を薄くした薄肉部７ｃが形成され、装飾部４に溶接される。
【００１４】
図３には前記回転機構３の作用が示される。図３ａに示したように、一対の弾性部材７は、空間部７ｂに挿入された支持軸６の対向する一方の両側面６ａを両側から弾性的に挟持することで、支持軸６の一方の側面６ａに係止される。そのため、弾性部材７は水平状態が保持される第１の係止位置を確保することができる。一方、図３ｂに示したように、支持軸６に対して弾性部材７を回転させた時には、支持軸６の角部６ｃによって弾性部材７の膨らみ７ａが弾性的に広がることで、弾性部材７の回転を可能としている。そして、図３ｃに示したように、弾性部材７を９０度回転させた時には、弾性部材７は、支持軸６の対向する他方の両側面６ｄを両側から弾性的に挟持することで、支持軸６の他方の両側面６ｄに係止される。そのため、弾性部材７は垂直状態が保持される第２の係止位置を確保することができる。
【００１５】
上記の回転機構３では、弾性部材７は矩形状の板バネからなり、板バネの長辺方向が支持軸６の軸方向と直交するように配置されている。そのため、板バネの幅を広く確保することができる。板バネの幅を適宜選択することで、支持軸６の側面に適度のバネ圧を加えることでき、支持軸６の任意の側面に確実に係止させることができる。
【００１６】
図１及び図４には前記回転機構３をリング部２及び装飾部４に取付けるための手段が示されている。この実施形態において、前記装飾部４は、楕円形状のフレーム４ａと、フレーム４ａの表面側に装飾された宝石類４ｂ（図６を参照）と、を有している。表面側の装飾は様々な態様を取り得る。フレーム４ａは裏面側が開放され、内部が楕円形の空洞４ｃになっている。そして、この空洞４ｃに前記回転機構３が収容されている。回転機構３は、空洞４ｃの長円方向と弾性部材７の長辺方向が平行となるように配置され、一対の弾性部材７の両端の薄肉部７ｃが二枚合わさった状態で、空洞４ｃの長円方向の両端部に設けられた一対の平板部４ｄに溶接されている。各平板部４ｄは略三角形状の平板であり、楕円形状からなるフレーム４ａの両端部に配置されている。
【００１７】
また、フレーム４ａの左右側にはほぼ中間部に一対の円形孔４ｅが設けられている。この円形孔４ｅには前記回転機構３の支持軸６の両端部に設けられた小径の円柱部６ｂが挿通される。円柱部６ｂは円形孔４ｅに対して回転フリーである。円柱部６ｂの先端部はフレーム４ａから突出している。
【００１８】
一方、装身具１のリング部２は、円形リングの一部が開口され、この開口部２ｂに前記装飾部４が配置される。開口部２ｂの開口幅は装飾部４の横幅がぴったり収まる寸法になっている。リング部２の開口端部２ｃは平坦面になっており、その中心部に円形のくぼみ２ｄを有している。このくぼみ２ｄに装飾部４のフレーム４ａから突出する円柱部６ｂの先端部が位置決めされる。くぼみ２ｄに位置決めされた円柱部６ｂの先端部はリング部２の開口端部２ｃに固定される。
【００１９】
上述したように、回転機構３は弾性部材７の両端部が装飾部４に固定され、支持軸６の両端部がリング部２に固定されたものとなる。そのため、装飾部４は、弾性部材７と一体となって支持軸６の回りを回転し、弾性部材７が第１の係止位置にある場合には、図５ａに示されるように、リング部２に対して直角の姿勢で保持される。また、装飾部４を９０度回転させて、弾性部材７が第２の係止位置にある場合には、図５ｂに示されるように、リング部２と平行な姿勢で保持される。すなわち、本発明の装身具１は、図６に示したように、装飾部４をリング部２に対して直角に起こした状態で保持させることで、指輪として利用することができる。一方、装飾部４を９０度回転させて、図７に示したように、装飾部４をリング部２と平行に保ち、リング部２の円孔２ａにチェーン５を挿通することによって、ぺンダントとして利用することができる。
【符号の説明】
【００２０】
１  装身具
２  リング部
２ａ  円孔
２ｂ  開口部
２ｃ  開口端部
２ｄ  くぼみ
３  回転機構
４  装飾部
４ａ  フレーム
４ｂ  宝石類
４ｃ  空洞
４ｄ  平板部
４ｅ  円形孔
５  チェ−ン
６  支持軸
６ａ  一方の両側面
６ｂ  円柱部
６ｃ  角部
６ｄ  他方の両側面
７  弾性部材（板バネ）
７ａ  膨らみ
７ｂ  空間部
７ｃ  薄肉部
【図１】
2020115946.tif 000003
【図２】
2020115946.tif 000004
【図３】
2020115946.tif 000005
【図４】
2020115946.tif 000006
【図５】
2020115946.tif 000007
【図６】
2020115946.tif 000008
【図７】
2020115946.tif 000009